(57)【要約】【課題】携帯端末において、簡単な構造でいずれか一方の端子接続部のみを使用するときでも他方を覆えるようにして防塵効果を向上させる。【解決手段】第２の筐体３の側面に設けた接続部用開口部２３内に、イヤホン用端子１５とカード装着用端子１６とを第２の筐体３の厚さ方向に並べて配置する。イヤホン用端子１５側を覆う第１開閉蓋１３と、カード装着用端子１６側を覆う第２開閉蓋１４とに、それぞれ厚さ方向に垂直にヒンジ１３ａ，１４ａを設ける。第１開閉蓋１３と第２開閉蓋１４とを閉じたときに、これら第１開閉蓋１３と第２開閉蓋１４とで接続部用開口部２３の全体を覆うようにする。【選択図】図６
2009118039.tif 000002
【特許請求の範囲】
【請求項１】
携帯端末本体の側面に第１端子接続部と第２端子接続部とが設けられた携帯端末において、
上記第１端子接続部と第２端子接続部とは、上記携帯端末本体の側面に設けた接続部用開口部内に該携帯端末本体の厚さ方向に並べて配置され、
上記第１端子接続部側を覆う第１開閉蓋と、上記第２端子接続部側を覆う第２開閉蓋とは、それぞれ厚さ方向に垂直に延びるヒンジを有し、
上記第１開閉蓋と第２開閉蓋とを閉じたときに、該第１開閉蓋と第２開閉蓋とで上記接続部用開口部の全体を覆うように構成されている
ことを特徴とする携帯端末。
【請求項２】
請求項１に記載の携帯端末において、
上記第１端子接続部側を覆う第１開閉蓋と、上記第２端子接続部側を覆う第２開閉蓋とは、それぞれ個別に上記接続部用開口部に係止するための突起を備えている
ことを特徴とする携帯端末。
【請求項３】
請求項１又は２に記載の携帯端末において、
上記第１端子接続部は、イヤホン用端子であり、
上記第２端子接続部は、カード装着用端子である
ことを特徴とする携帯端末。
【請求項４】
請求項３に記載の携帯端末において、
上記イヤホン用端子にヘッドホンジャックを挿入した状態で、上記カード装着用端子にカードを脱着可能に構成されている
ことを特徴とする携帯端末。
【請求項５】
請求項１乃至４のいずれか１つに記載の携帯端末において、
携帯電話機である
ことを特徴とする携帯端末。
【発明の詳細な説明】
【技術分野】
【０００１】
本発明は、携帯端末本体の側面に第１端子接続部と第２端子接続部とが設けられた携帯端末に関するものである。
【背景技術】
【０００２】
従来より、端子、カード挿入口は携帯端末の側面に配置され、携帯端末の厚みが厚くならないようにしている。
【０００３】
例えば、特許文献１では、外部接続コネクタの接続開口部に、閉じる方向に付勢され両開きに回動する遮蔽板を配すと共に、この回動遮蔽板の回転軸と直交する方向の横位置に回転軸を有し、機器本体に収納される方向に付勢されて回動する押板を設け、この押板で前記回動遮蔽板を押し開いて外部接続コネクタを開放するようにしている。このことで、外部接続コネクタの接続機構の省スペース化を進め、可搬機器装置の小型化を図っている。
【特許文献１】実開平５−５０８００号公報
【発明の開示】
【発明が解決しようとする課題】
【０００４】
上記特許文献１は、内部に外部接続コネクタを１つのみ有し、遮蔽板を２枚有し、開閉時には同時に開き別々には開かない。また、外部接続コネクタを解放するために押板等の余計な部品が必要となり、部品点数が増えるという問題がある。
【０００５】
本発明は、かかる点に鑑みてなされたものであり、その目的とするところは、狭いスペースに２つの端子接続部を設け、２枚の開閉蓋で開閉することにより、簡単な構造でいずれか一方の端子接続部のみを使用するときでも他方を覆えるようにして防塵効果を向上させることを目的とする。
【課題を解決するための手段】
【０００６】
上記目的を達成するために、本発明では、
携帯端末本体の側面に第１端子接続部と第２端子接続部とが設けられた携帯端末を対象とし、
上記携帯端末では、
上記第１端子接続部と第２端子接続部とは、上記携帯端末本体の側面に設けた接続部用開口部内に該携帯端末本体の厚さ方向に並べて配置され、
上記携帯端末は、
上記第１端子接続部側を覆う第１開閉蓋と、上記第２端子接続部側を覆う第２開閉蓋とは、それぞれ厚さ方向に垂直に延びるヒンジを有し、
上記第１開閉蓋と第２開閉蓋とを閉じたときに、該第１開閉蓋と第２開閉蓋とで上記接続部用開口部の全体を覆うように構成されている。
【０００７】
上記の構成によると、狭いスペースに２つの接続部が配置されるので、携帯端末の小型化が可能である。また、第１開閉蓋及び第２開閉蓋の一方のみを開くことも、両方を開くことも可能であるので、使用しない端子接続部が覆われ、埃等が端子接続部に浸入しない。
【０００８】
第２の発明では、第１の発明において、
上記第１端子接続部側を覆う第１開閉蓋と、上記第２端子接続部側を覆う第２開閉蓋とは、それぞれ個別に接続部用開口部に係止するための突起を備える構成とする。
【０００９】
上記の構成によると、第１開閉蓋のみを開いて第２開閉蓋を接続部用開口部に係止し、又は第２開閉蓋のみを開いて第１開閉蓋を接続部用開口部に係止することが可能になり、使用しない端子接続部が確実に閉じられる。
【００１０】
第３の発明では、第１又は第２の発明において、
上記第１端子接続部は、イヤホン用端子であり、上記第２端子接続部は、カード装着用端子とする。
【００１１】
上記の構成によると、イヤホン用端子とカード装着用端子とが狭い領域に配置され、それぞれを個別に使用するときでも、他方の開閉蓋を閉じることにより、防塵効果が確実に発揮される。
【００１２】
第４の発明では、第３の発明において、
上記イヤホン用端子にヘッドホンジャックを挿入した状態で、上記カード装着用端子にカードを脱着可能に構成する。
【００１３】
上記の構成によると、イヤホン用端子は、ヘッドホンジャックの接続後も継続して第１開閉蓋が開かれ、カード装着用端子を接続する際には、第２開閉蓋を開いて挿入し、その後は再び第２開閉蓋を閉じることができるので、イヤホン用端子を使用中でも防塵効果が確実に発揮される。
【００１４】
第５の発明では、第１乃至第４のいずれか１つの発明において、
携帯端末は、携帯電話機とする。
【００１５】
上記の構成によると、省スペース化と防塵効果とにより、コンパクトで故障の少ない携帯電話機が得られる。
【発明の効果】
【００１６】
以上説明したように、本発明によれば、携帯端末本体の側面に設けた接続部用開口部内に第１端子接続部と第２端子接続部とを厚さ方向に並べ、それぞれを開閉蓋で覆うようにしたことにより、使用しない側の接続部を覆うことができるので、防塵効果を向上させることができる。
【発明を実施するための最良の形態】
【００１７】
以下、本発明の実施形態を図面を用いて説明する。
【００１８】
図１は、本発明の実施形態にかかる携帯端末としての携帯電話機１の開いた状態を示す斜視図である。図２は、携帯電話機１の閉じた状態を示す斜視図である。携帯電話機１は、内側に表示部５、受話部６を有する第１の筐体２と、内側に送話部７、機能ボタン８及び入力ボタン９、外側には電池蓋１０、カメラ部１１及びスピーカ放音孔１２を有する、携帯端末本体としての第２の筐体３とを有する。これら第１の筐体２と第２の筐体３とが、ヒンジ部４を介してＸ軸を中心に折畳み可能に結合されている。また、ヒンジ部４は、Ｘ軸に対して垂直方向のＹ軸を中心に回転可能になっており、第１の筐体２は、このＹ軸を中心に１８０度（表裏）回転可能になっている。このことで、通話するときやメールするときには第１の筐体２を開いた状態で行い、人や風景をカメラ撮影するときには、第１の筐体２をＸ軸を中心に開き、続いてＹ軸を中心に１８０度回転してそのままＸ軸を中心に閉じると表示部５とカメラ部１１とが互いに対向する面の外側に配置され、表示部５に人や風景の構図を選択して撮影をすることができるようになっている。
【００１９】
図３に携帯電話機１の第１開閉蓋１３を開いたとき、図４に第２開閉蓋１４を開いたとき、図５にカード１８を挿入後、ヘッドホンジャック１７をイヤホン用端子１５に接続したときの斜視図をそれぞれ示す。図６、図７、図８に図２、図３、図５における接続部用開口部２３の横断面図をそれぞれ示す。
【００２０】
第２の筐体３は、内側キャビネット３ａと、外側キャビネット３ｂとを備え、これらの合わせ面に跨るように、第２の筐体３の側面には、１つの接続部用開口部２３が設けられている。この接続部用開口部２３内には、内側キャビネット３ａ側に第１端子接続部としてのイヤホン用端子１５と、外側キャビネット３ｂ側に第２端子接続部としてのカード装着用端子１６とが、第２の筐体３の厚み方向に垂直に配置されている。このことで、携帯電話機１の小型化が抑えられている。
【００２１】
イヤホン用端子１５は、第１開閉蓋１３で覆われ、カード装着用端子１６は、第２開閉蓋１４で覆われている。第１開閉蓋１３と第２開閉蓋１４とは、それぞれ第２の筐体３の厚さ方向に垂直に延びるヒンジ１３ａ，１４ａを有している。第１開閉蓋１３と第２開閉蓋１４とを閉じたときに、これら第１開閉蓋１３と第２開閉蓋１４とで接続部用開口部２３の全体を覆うように構成されている。図９に拡大して示すように、第１開閉蓋１３は、個別に接続部用開口部２３に係止するために、第２の筐体３の厚さ方向に垂直に突出する第１係止用突起１９を備えている。図１０に拡大して示すように、同様に第２開閉蓋１４は、個別に接続部用開口部２３に係止するために、第２の筐体３の厚さ方向に垂直に突出する第２係止用突起２０を備えている。内側キャビネット３ａには、第１係止用突起１９が係止される第１係止用凹部溝２１が形成され、外側キャビネット３ｂには、第２係止用突起２０が係止される第２係止用凹部溝２２が形成されている。
【００２２】
第１開閉蓋１３と第２開閉蓋１４とは、ＴＰＥ（Thermoplastic-Elastomer）やＴＰＥＥ（Thermoplastic-Polyester-Elastomer）などのゴム含有プラスチック樹脂（エラストマ）又はゴムよりなっている。これらの材料は弾性をもち、第１係止用突起１９や第２係止用突起２０を変形させ、第１係止用突起１９を第１係止用凹部溝２１に圧入するとき、また、第２係止用突起２０を第２係止用凹部溝２２に圧入するときの開閉が容易となっている。
【００２３】
−作用−
次に、本実施形態にかかる携帯電話機１の作動について説明する。
【００２４】
図３及び図８に示すように、ヘッドホンジャック１７をイヤホン用端子１５に接続するには、まず、第１開閉蓋１３のみを開く。本実施形態の場合、ヒンジ１３ａが抜け出して第１開閉蓋１３は、取り外されるが、接続部用開口部２３に残ったままヒンジ１３ａを中心に開くようにしてもよい。
【００２５】
次いで、ヘッドホンジャック１７をイヤホン用端子１５に差し込んで接続する。第２開閉蓋１４は閉じたままとしておく。ヘッドホンジャック１７の使用後は、第１開閉蓋１３のヒンジ１３ａを接続部用開口部２３に引っ掛け、第１開閉蓋１３を閉じる。第１開閉蓋１３を閉じたとき第１開閉蓋１３の両端に設けた第１係止用突起１９が第１係止用凹部溝２１に引っ掛かって閉じられた状態を保持する。
【００２６】
図４に示すように、カード１８をカード装着用端子１６に挿入するには、第２開閉蓋１４のみをヒンジ１４ａを中心に開き、カード１８をカード装着用端子１６に挿入する（図６等に挿入した様子を示す）。挿入後は第２開閉蓋１４を閉じる。第２開閉蓋１４を閉じたとき第２開閉蓋１４の両端に設けた第２係止用突起２０が第２係止用凹部溝２２に引っ掛かって閉じられた状態を保持する。
【００２７】
さらに、ヘッドホンジャック１７とカード１８とを同時に使用するときには、まず上述したように、カード１８を挿入して第２開閉蓋１４を閉じた後、同じく上述したように、ヘッドホンジャック１７をイヤホン用端子１５に接続する。なお、ヘッドホンジャック１７とカード１８の挿入順序は反対であってもよい。第２開閉蓋１４の形状等を工夫すれば、イヤホン用端子１５にヘッドホンジャック１７を挿入した状態でも、カード装着用端子１６にカード１８を脱着するのが容易となる。
【００２８】
本実施形態では、狭いスペースにイヤホン用端子１５とカード装着用端子１６とが配置されるので、携帯電話機１の小型化が可能である。また、第１開閉蓋１３及び第２開閉蓋１４の一方のみを開くことも、両方を開くことも可能であるので、使用しないイヤホン用端子１５やカード装着用端子１６が覆われ、埃等が接続部用開口部２３に浸入しない。
【００２９】
−実施形態の効果−
したがって、本実施形態にかかる携帯電話機１によると、第２の筐体３の側面に設けた接続部用開口部２３内にイヤホン用端子１５とカード装着用端子１６とを厚さ方向に並べ、それぞれを第１又は第２開閉蓋１３，１４で覆うようにしたことにより、使用しないイヤホン用端子１５又はカード装着用端子１６を覆うことができるので、防塵効果を向上させることができる。また、省スペース化と防塵効果とにより、コンパクトで故障の少ない携帯電話機１が得られる。
【００３０】
（その他の実施形態）
本発明は、上記実施形態について、以下のような構成としてもよい。
【００３１】
すなわち、上記実施形態では、第１端子接続部はイヤホン用端子１５とし、第２端子接続部はカード装着用端子１６としたが、これに限定されず、同時又は片方ずつ使用する一対の端子接続部を設ければよい。
【００３２】
上記実施形態では、携帯電話機１は、第１の筐体２が表裏反転可能な折畳み式のものとしたが、第２の筐体のみを有するものでもよいし、表示部５が縦長横長に切り換え可能かつ、第１の筐体２が折り畳み可能に構成されたものでもよい。
【００３３】
上記実施形態では、携帯端末は、携帯電話機１としたが、ＰＨＳ、ＰＤＡ、ＰＣ、モバイルツール、電子辞書、電卓、複写機等であってもよい。
【００３４】
なお、以上の実施形態は、本質的に好ましい例示であって、本発明、その適用物や用途の範囲を制限することを意図するものではない。
【図面の簡単な説明】
【００３５】
【図１】本発明の実施形態にかかる携帯電話機の開いた状態を示す斜視図である。
【図２】携帯電話機の閉じた状態を示す斜視図である。
【図３】携帯電話機の第１開閉蓋を開いたときの斜視図である。
【図４】携帯電話機の第２開閉蓋を開いたときの斜視図である。
【図５】携帯電話機のカード挿入後、ヘッドホンジャックをイヤホン用端子に接続したときの斜視図である。
【図６】図２における接続部用開口部の横断面図である。
【図７】図３における接続部用開口部の横断面図である。
【図８】図５における接続部用開口部の横断面図である。
【図９】第１開閉蓋及び表側キャビネットの一部を拡大して示す斜視図である。
【図１０】第２開閉蓋及び裏側キャビネットの一部を拡大して示す斜視図である。
【符号の説明】
【００３６】
１      携帯電話機（携帯端末）
３      第２の筐体（携帯端末本体）
１３      第１開閉蓋
１４      第２開閉蓋
１３ａ，１４ａ  ヒンジ
１５      イヤホン用端子（第１端子接続部）
１６      カード装着用端子（第２端子接続部）
１７      ヘッドホンジャック
１８      カード
１９      第１係止用突起
２０      第２係止用突起
２３      接続部用開口
【図１】
2009118039.tif 000003
【図２】
2009118039.tif 000004
【図３】
2009118039.tif 000005
【図４】
2009118039.tif 000006
【図５】
2009118039.tif 000007
【図６】
2009118039.tif 000008
【図７】
2009118039.tif 000009
【図８】
2009118039.tif 000010
【図９】
2009118039.tif 000011
【図１０】
2009118039.tif 000012